(57)【要約】【課題】温水加熱装置等の通水回路の凍結を事前に予報する凍結予報装置を提供すること。【解決手段】予報対象日の予報対象時に通水回路が凍結するか否かを予報する凍結予報装置であって、現在の年月日及び時刻を自動演算する時計装置、及び、外気温センサと、過去の外気温を、前記時計装置及び外気温センサの出力に基づいて、１年以上に亘って記憶する外気温履歴記憶手段と、前記予報対象日の年月日又はその前後の日に対応する過去の年月日に於ける、予報対象時と同じ時の外気温を前記外気温履歴記憶手段から検索する手段（ステップ(ST20)〜(ST29)）と、を具備し、前記検索した外気温が前記通水回路の凍結危険温度の場合は、前記予報対象日に於ける予報対象時の通水回路の凍結を予報する。【選択図】図５
2008039264.tif 000002
【特許請求の範囲】
【請求項１】
予報対象日の予報対象時に、外気温が低下して通水回路が凍結するか否かを予報する凍結予報装置であって、
現在の年月日及び時刻を自動演算する時計装置と、
外気温センサと、
過去の外気温を、前記時計装置及び外気温センサの出力に基づいて、１年以上に亘って記憶する外気温履歴記憶手段と、
前記予報対象日の年月日又はその前後の日に対応する過去の年月日に於ける、前記予報対象時と同じ時の外気温を前記外気温履歴記憶手段から検索する手段と、を具備し、
前記検索した外気温が、前記通水回路の凍結危険温度の場合は、前記予報対象日に於ける予報対象時の通水回路の凍結を予報する、凍結予報装置。
【請求項２】
請求項１に記載の凍結予報装置において、
前記予報対象時より前の外気温変化を実測する為の温度変化実測手段が設けられ、
前記実測された外気温変化の大小に基づいて前記予報の判断を修正する、凍結予報装置。
【請求項３】
請求項１又は請求項２に記載の凍結予報装置に於いて、
前記予報対象日及び予報対象時は、前記時計装置が出力する現在の年月日・時刻より設定時間後の日時である、凍結予報装置。
【請求項４】
請求項１に記載の凍結予報装置に於いて、
前記予報対象日及び予報対象時を手入力する日時設定手段を備えている、凍結予報装置。
【請求項５】
請求項１から請求項４の何れかに記載の通水回路の凍結予報装置を具備する温水加熱装置に於いて、
前記通水回路から分岐する水抜回路に水抜弁が設けられ、
前記通水回路が凍結する旨の予報がされた場合は前記水抜弁が開弁される、温水加熱装置。
【発明の詳細な説明】
【技術分野】
【０００１】
本発明は、通水回路の凍結予報装置、更に詳しくは、風呂の追焚装置や、給湯器、更には、温水暖房装置等の通水回路の凍結を予報する装置に関するものである。
【背景技術】
【０００２】
風呂の追焚装置として、ガスバーナで加熱される熱交換器と浴槽を追焚回路で閉ループ状に接続し、該追焚回路に強制循環ポンプを配設したものが広く知られている。又、この種の追焚装置では、冬の寒い時期の運転停止時に、外気温低下に伴って追焚回路が凍結する恐れがあることから、凍結防止用の外気温センサが組み込まれたものが知られている。
このものでは、ガスバーナを燃焼させて強制循環ポンプを作動させると、浴槽内の入浴水が閉ループ状の追焚回路を循環しながら熱交換器で加熱昇温されて追焚きされる。
【０００３】
又、冬の寒い時期には、浴槽に湯張りされた状態で外気温が凍結危険温度まで低下すると、これを外気温センサが検知して強制循環ポンプが間欠運転され、これにより、追焚回路の凍結が防止される。
【特許文献１】特開平１０−１６０１７６号公報
【特許文献２】特開平４−１５０号公報
【特許文献３】特開昭６３−２１３７４４号公報
【発明の開示】
【発明が解決しようとする課題】
【０００４】
しかしながら、上記従来のものでは、冬の寒い深夜に外気温が低下すると、強制循環ポンプが突然作動して凍結防止運転が開始するから、寝静まった部屋にポンプ音が突然響いて居住者に不快感を与えるという問題があった。
尚、上記においては、風呂の追焚装置を例示して問題点を指摘したが、熱交換器で加熱生成した温水を循環ポンプで暖房用端末器に供給する温水暖房装置等でも、凍結防止運転時に循環ポンプが作動することから、上記と同様の問題がある。
【０００５】
本発明はかかる点に鑑みて成されたもので、通水回路の凍結を事前に予報する為の凍結予報装置を提供することにより、凍結防止の運転音が発生した際でも居住者に唐突感を与えないようにすることを課題とする。
【課題を解決するための手段】
【０００６】
［請求項１に係る発明］
上記課題を解決するための請求項１に係る発明の解決手段は、
『予報対象日の予報対象時に、外気温が低下して通水回路が凍結するか否かを予報する凍結予報装置であって、
現在の年月日及び時刻を自動演算する時計装置と、
外気温センサと、
過去の外気温を、前記時計装置及び外気温センサの出力に基づいて、１年以上に亘って記憶する外気温履歴記憶手段と、
前記予報対象日の年月日又はその前後の日に対応する過去の年月日に於ける、前記予報対象時と同じ時の外気温を前記外気温履歴記憶手段から検索する手段と、を具備し、
前記検索した外気温が、前記通水回路の凍結危険温度の場合は、前記予報対象日に於ける予報対象時の通水回路の凍結を予報する』ことである。
上記解決手段は次のように作用する。
外気温履歴記憶手段には、過去の外気温が、時計装置及び外気温センサの出力に基づいて、１年以上に亘って記憶されている。
【０００７】
そして、予報対象日に於ける予報対象時に通水回路が凍結するか否かを予報する際には、前記外気温履歴記憶手段に記憶された過去の外気温を検索する。具体的には、予報対象日の年月日又はその前後の日に対応する過去の年月日に於ける、予報対象時と同じ時の外気温を前記外気温履歴記憶手段から検索する。そして、前記検索した外気温が前記通水回路の凍結危険温度の場合は、予報対象日の予報対象時に通水回路が凍結することを予報する。
このように、前記解決手段によれば、外気温履歴記憶手段に記憶された外気温に基づいて通水回路の凍結を予報することができる。
【０００８】
[請求項２に係る発明]
請求項１に係る発明に於いて、
『前記予報対象時より前の外気温変化を実測する為の温度変化実測手段が設けられ、
前記実測された外気温変化の大小に基づいて前記予報の判断を修正する』ものでは、実測された外気温変化の大小に基づいて凍結予報の判断が修正されるから、予報の精度が向上する。
【０００９】
［請求項３に係る発明］
請求項１又は２に係る発明に於いて、
『前記予報対象日及び予報対象時は、前記時計装置が出力する現在の年月日・時刻より設定時間後の日時である』ものでは、時計装置から自動的に出力される現在時刻が予報対象時として設定される。従って、前記予報対象時を手動で設定する手間がなくなる。
【００１０】
［請求項４に係る発明］
請求項１に係る発明に於いて、
『前記予報対象日及び予報対象時を手入力する日時設定手段を備えている』ものとすることができる。
このものでは、日時設定手段に手入力された予報対象日及び予報対象時に於ける通水回路の凍結が予報される。
【００１１】
［請求項５に係る発明］
『請求項１から請求項４の何れかに記載の通水回路の凍結予報装置を具備する温水加熱装置に於いて、
前記通水回路から分岐する水抜回路に水抜弁が設けられ、
前記通水回路が凍結する旨の予報がされた場合は前記水抜弁が開弁される』ものでは、請求項１〜４の凍結予報装置を具備する温水加熱装置が提供できる。
又、このものでは、凍結する旨の予報時に通水回路が水抜きされる。従って、この予報により、水抜き音が凍結防止動作に基づくものであることを居住者に認識させることができる。
【発明の効果】
【００１２】
本発明は次の特有の効果を有する。
請求項１に係る発明によれば、予報対象日の年月日又はその前後の日に対応する過去の年月日に於ける、予報対象時と同じ時の外気温を前記外気温履歴記憶手段から検索し、検索した過去の外気温に基づいて前記予報対象時の通水回路の凍結を予報することができる。従って、本発明に係る凍結予報装置の設置家屋の居住者は、前記通水回路を具備する温水加熱装置等が凍結防止運転を実行することを予め認識することができる。よって、例えば、温水加熱装置等から凍結防止の為の運転音が発生しても、居住者に唐突な感じを与える不都合がない。
【００１３】
また、請求項２に係る発明によれば、実測された外気温変化の大小に基づいて凍結予報の判断が修正されるから、予報の精度が向上する。
請求項３に係る発明によれば、既述したように、予報対象時を手動で設定する手間が不要になる。
【００１４】
請求項４に係る発明によれば、予報対象日及び予報対象時を日時設定手段に手入力できるから、任意の時点の凍結予報を知ることができる。
請求項５に係る発明によれば、請求項１〜４の凍結予報装置を具備する温水加熱装置が提供できる。又、前述のように、水抜き音が凍結防止運転に基づくものであることを居住者に認識させることができ、居住者に唐突な感じを与えない。
【発明を実施するための最良の形態】
【００１５】
以下に、本発明を実施するための最良の形態について添付図面を参照しながら説明する。
［温水加熱装置について］
図１は、本発明の実施の形態に係る凍結予報装置を備えた温水加熱装置(1)の概略図であり、給湯熱交換器(2)と暖房・追焚熱交換器(3)を有している。
給湯熱交換器(2)と暖房・追焚熱交換器(3)は、ガス回路(4)の下流端の給湯バーナ(20)と暖房・追焚バーナ(30)で各別に加熱される構成で、これらバーナ(20)(30)の近傍には、点火電極(200)(300)及び炎検知器(201)(301)が設けられている。又、ガス回路(4)に設けられたガス元弁(40)から給湯バーナ(20)と暖房・追焚バーナ(30)への分岐回路の夫々には、ガス比例弁(202)(302)が各別に配設されている。
【００１６】
熱交換器(2)(3)内には、給湯加熱回路(21)と暖房・追焚加熱回路(31)の一部が各別に貫通しており、給湯加熱回路(21)には凍結防止ヒータ(22)が添設されている。又、熱交換器(2)(3)の下部には燃焼空気をバーナ(20)(30)に供給する給気ファン(7)(8)が設けられている。
【００１７】
温水加熱装置(1)の上部には給気ダクト(9)が連設されており、その上流端の給気口部(90)は、建物の壁面(W)を屋外に貫通している。そして、給気ダクト(9)の下流端開口(91)と給気ファン(8)を結ぶ経路（外気に晒され易い場所）には、外気温センサ(S)が配設されている。
【００１８】
熱交換器(2)(3)の上部には、バーナ(20)(30)で生成された燃焼排気を屋外に導くための排気ダクト(10)が連設されており、その下流端の排気口部(100)は建物の壁面(W)を屋外に貫通している。
【００１９】
このものでは、給気ファン(7)(8)の吸引力により、給気ダクト(9)から熱交換器(2)(3)内に燃焼用空気が取り込まれ、この状態でガス元弁(40)及びガス比例弁(202)(302)を開弁し、バーナ(20)(30)に点火すると、該バーナ(20)(30)の燃焼が開始されてその燃焼排気が排気ダクト(10)を通って屋外に排出される。これにより、給湯熱交換器(2)や暖房・追焚熱交換器(3)が加熱される。
【００２０】
次に、暖房・追焚加熱回路(31)の構成を説明する。
暖房・追焚加熱回路(31)は、暖房・追焚熱交換器(3)→液々熱交換器(11)側への分岐点(310)→暖房バイパス通路(311)→シスターン(32)→循環ポンプ(33)→暖房・追焚熱交換器(3)の経路で繋がる閉ループ状に形成されている。
【００２１】
暖房バイパス通路(311)の両端(311a)(311b)は、ファンコンベクタ等の高温暖房端末(17)を具備する高温暖房回路(18)で接続され、循環ポンプ(33)の吐出側は床暖房マット等の低温暖房端末(19)を具備する低温暖房回路(29)を介して高温暖房回路(18)に接続されている。
【００２２】
又、暖房・追焚加熱回路(31)から分岐して液々熱交換器(11)内を通る風呂用バイパス回路(16)の上流端近傍には、風呂用の追焚弁(36)が配設されていると共に、風呂用バイパス回路(16)の下流端はシスターン(32)の上流側に接続されている。
【００２３】
このものでは、暖房・追焚バーナ(30)を燃焼させて循環ポンプ(33)を作動させると、暖房・追焚熱交換器(3)で加熱された温水は、暖房・追焚熱交換器(3)→液々熱交換器(11)側への分岐点(310)→暖房バイパス通路(311)→シスターン(32)→循環ポンプ(33)→暖房・追焚熱交換器(3)と繋がる暖房・追焚加熱回路(31)で循環する。そして、この暖房・追焚加熱回路(31)を循環する温水の一部が、高温暖房回路(18)や低温暖房回路(29)に分配され、これにより、室内の暖房が行える。
【００２４】
又、この温水加熱装置(1)は、暖房・追焚熱交換器(3)によって加熱生成される温水で浴槽(B)の入浴水を追焚きできる構成で、そのため、暖房・追焚加熱回路(31)から分岐した風呂用バイパス回路(16)で加熱される液々熱交換器(11)は、追焚兼湯張回路(13)を介して浴槽(B)と閉ループ状に接続されており、追焚兼湯張回路(13)内には追焚き用の強制循環ポンプ(12)と水流スイッチ(39)が配設されている。又、追焚兼湯張回路(13)から分岐する水抜回路(131)には、凍結防止用の水抜弁(132)が設けられている。
【００２５】
給湯熱交換器(2)を通る給湯加熱回路(21)から追焚兼湯張回路(13)を介して浴槽(B)へ湯張りする為の連絡回路(14)が形成され、連絡回路(14)の途中には湯張弁(15)が設けられている。
【００２６】
このものでは、給湯バーナ(20)を燃焼させて湯張弁(15)を開弁すると、給湯熱交換器(2)で加熱生成された温水が、給湯加熱回路(21)→連絡回路(14)→湯張弁(15)→追焚兼湯張回路(13)→浴槽(B)の経路で供給されて湯張りが行える。一方、湯張り後に、暖房・追焚バーナ(30)を燃焼させて追焚弁(36)を開弁すると共に循環ポンプ(33)(12)を作動させると、暖房・追焚加熱回路(31)を流れる温水で液々熱交換器(11)が加熱される一方、入浴水が液々熱交換器(11)→浴槽(B)→強制循環ポンプ(12)→水流スイッチ(39)→液々熱交換器(11)と繋がる追焚兼湯張回路(13)で循環し、これにより、浴槽(B)の追焚きが行える。
【００２７】
［凍結予報装置について］
次に、本発明の特徴である凍結予報装置について説明する。
図２に示すように、凍結予報装置は、制御装置(5)と、これに接続された遠隔操作用のリモコン装置(6)と、既述した外気温センサ(S)を具備している。リモコン装置(6)は、温水加熱装置(1)を遠隔操作する機能を具備し、台所の壁面等に配設される。尚、リモコン装置(6)は、運転状態等を表示する表示画面(60)と運転スイッチ(61)と、出湯温度や湯張り予約時刻等を設定するＵＰ／ＤＯＷＮスイッチ(62)を備えている。
【００２８】
制御装置(5)は、追焚兼湯張回路(13)や暖房・追焚加熱回路(31)等の通水回路の凍結予報機能以外に、温水加熱装置(1)の運転制御を行う機能も兼備しており、そのため、制御装置(5)の入出力ポート(50)には、上記リモコン装置(6)や外気温センサ(S)以外に、暖房や追焚き用の循環ポンプ(33)(12)、追焚兼湯張回路(13)の凍結防止用の水抜弁(132)、給湯加熱回路(21)の凍結防止ヒータ(22)、更には、バーナ(20)(30)へ燃焼用空気を供給する為の給気ファン(7)(8)等の電気部品が接続されている。尚、図２では、入出力ポート(50)に接続された他の電気部品は省略している。
【００２９】
制御装置(5)は、ＣＰＵ(51)、不揮発性メモリーたるＥＥＰＲＯＭ(53)、ＲＡＭ(54)、ＲＯＭ(55)、及び入出力ポート(50)をバス(52)で接続したマイクロコンピュータから構成されており、更に、バス(52)には、現在の年月日及び時刻を自動演算する時計装置としてのカレンダＩＣ(56)が接続されている。又、ＣＰＵ(51)にはタイマ(57)が接続されている。
【００３０】
このものでは、カレンダＩＣ(56)から出力される現在の年月日及び時刻の情報と、外気温センサ(S)が検知する外気温の情報に基づいて、図３に示すように、過去４年間の外気温履歴をＥＥＰＲＯＭ(53)内の外気温テーブルＸ（Ｊ，Ｋ）に格納できるようにしている。図３の外気温テーブルＸ（Ｊ，Ｋ）は、２００２年１月１日０時〜２００６年１月１日０時までの４年間を６時間毎の時間帯に区分し、各時間帯中の最低の外気温（外気温センサ(S)の検知温度）を時間帯毎にＥＥＰＲＯＭ(53)に格納したものである。図３の外気温テーブルＸ（Ｊ，Ｋ）は、２００２年１月１日０時〜同６時，同６時〜１２時，同１２時〜１８時，同１８時〜翌日の０時，同０時〜６時・・・２００５年１２月３１日１８時〜翌日の０時のように、６時間毎に期間を区分して構成したものである。そして、外気温テーブルＸ（Ｊ，Ｋ）には、前記時間帯毎に、当該時間帯の最終時点の年月日及び時刻が基準時Ｘ（Ｊ，１）として書き込まれており、又、最低外気温（外気温センサ(S)の検知温度）Ｘ（Ｊ，２）も前記時間帯毎に書き込まれている。
【００３１】
そして、外気温履歴を記憶した図３の外気温テーブルＸ（Ｊ，Ｋ）を利用し、冬の寒い時期等に、追焚兼湯張回路(13)や暖房・追焚加熱回路(31)、更には、給湯加熱回路(21)等が凍結するのを予報できるようにしている。
【００３２】
次に、図３の外気温テーブルＸ（Ｊ，Ｋ）の作成手法と、これを用いて凍結予報を行う手法を説明する。尚、以下に於いては、２００１年１２月３１日に温水加熱装置(1)が設置され電源接続されたと仮定して説明する。
図４，図５は、制御装置(5)のＲＯＭ(55)に格納された凍結予報プログラムを説明するフローチャートである。
【００３３】
先ず、温水加熱装置(1)が電源接続されると、図４のステップ(ST1)でカレンダＩＣ(56)から現在時刻Ｂを読み込む。
そして、ステップ(ST2)で現在時刻Ｂが「０時」になるまで待機する。
ステップ(ST3)で外気温履歴として格納すべき各時間帯の最低温度ＨＭを「１００℃」に初期設定した後、ステップ(ST4)で変数Ｊを「１」にセットする。
【００３４】
ステップ(ST5)でマイクロコンピュータの内蔵タイマＴ１を「０」にセットすると共に、外気温センサ(S)の検知温度を初期温度ＨＢとして記憶する。この初期温度ＨＢは、後述するように、外気温勾配の判定に利用される。
【００３５】
次に、ステップ(ST6)で、外気温センサ(S)が検知する外気温の１分間に於ける平均温度ＨＡを求める。
ステップ(ST7)で、前記平均温度ＨＡが最低温度ＨＭより低いと判断された場合は、ステップ(ST8)で、平均温度ＨＡを新たな最低温度ＨＭとして記憶し直す。そして、ステップ(ST9)で内蔵タイマＴ１（ステップ(ST5)で０にセットされている）の計測時間が６時間を越えたことが確認できるまで、ステップ(ST6)〜(ST8)を繰り返し、これにより、６時間に於ける最低温度ＨＭを求める。
【００３６】
次に、ステップ(ST10)で、カレンダＩＣ(56)から現在の年月日及び時刻を読み込んでこれを外気温テーブル（図３）の基準時Ｘ（Ｊ，１）のメモリ部に書き込み、更に、前記ステップ(ST5)〜(ST9)で求めた６時間の最低温度ＨＭを外気温テーブルの最低外気温Ｘ（Ｊ，２）のメモリ部に書き込む（ステップ(ST11)参照）。又、ステップ(ST11)では、前記６時間の時間帯に於ける「外気温勾配Ｇ＝（初期温度ＨＢ−外気温センサ(S)の検知温度）／６」を求める。そして、本実施の形態では、ステップ(ST4)とステップ(ST11)の実行時に於ける外気温センサ(S)の検知温度に基づいて前記外気温勾配Ｇを演算するマイクロコンピュータの機能部が、既述発明特定事項たる「温度変化実測手段」に対応する。
【００３７】
次に、追焚兼湯張回路(13)や暖房・追焚加熱回路(31)等の通水回路の凍結を予報する予報ルーチン（Ｒ）を実行するが、当該予報ルーチン（Ｒ）の内容は後述する。尚、予報ルーチン（Ｒ）は、内蔵タイマＴ１が６時間を計測し終えたことがステップ(ST9)で確認される毎に実行される。従って、予報ルーチン（Ｒ）は、０時，６時，１２時，１８時の各基準時Ｘ（Ｊ，１）に実行される。
【００３８】
次に、ステップ(ST12)では、変数Ｊの値を１だけ増加させ、その後、ステップ(ST13)で変数Ｊの値が、１４６１（４年分の日数）×４（１日当たりの時間帯の数＝２４÷６時間）を超えたか否かが判断され、超えていなければ、ステップ(ST5)〜(ST13)のルーチンが再度実行される。このようにして、一日を６時間毎の時間帯に区分して出来た時間帯毎の外気温を４年に亘ってＥＥＰＲＯＭ(53)内の外気温テーブルＸ（Ｊ，Ｋ）に書き込む。これにより、図３に示す外気温テーブルＸ（Ｊ，Ｋ）が完成する。
【００３９】
次に、前記した予報ルーチン（Ｒ）の内容を図５に従って詳述する。
尚、予報ルーチン（Ｒ）は、０時，６時，１２時，１８時の各基準時（Ｘ（Ｊ，１））に実行されることは前述したとおりである。
【００４０】
先ず、ステップ(ST20)で、カレンダＩＣ(56)から現在の年Ｙ、月Ｍ、日Ｄ、現在時刻Ｂを読み込む。
ステップ(ST21)で、前記読み込んだ現在時刻Ｂが０時と判断されると、ステップ(ST22)で現在時刻Ｂとして６時（現在より６時間先の時刻）を記憶し直す。同様に、ステップ(ST23)で、前記読み込んだ現在時刻Ｂが６時と判断されると、ステップ(ST24)で現在時刻Ｂとして１２時を記憶し直す。又、ステップ(ST25)で、前記読み込んだ現在時刻Ｂが１２時と判断されると、ステップ(ST26)で現在時刻Ｂとして１８時を記憶し直す。更に、前記読み込んだ現在時刻Ｂが前記０時、６時、１２時の何れでもない場合は、年月日（Ｙ＋Ｍ＋Ｄ）（ステップ(ST20)でカレンダＩＣ(56)から読み込まれている）として翌日の年月日を記憶し直すと共に、現在時刻Ｂとして０時を記憶し直す。このように、ステップ(ST21)〜(ST27)で、現在時刻Ｂとして６時間先の時刻を新たに記憶し直す。尚、本実施の形態では、ステップ(ST21)〜(ST27)で新たに記憶し直した年月日（Ｙ、Ｍ、Ｄ）が予報対象日であり、新たに記憶し直した時刻から１２時間先の時刻までの時間帯が、予報対象時間帯である。
【００４１】
次に、ステップ(ST28)で変数Ｌを「１」に設定すると共に、新たに記憶し直した年月日（Ｙ＋Ｍ＋Ｄ）及び現在時刻Ｂで特定される時点（６時間先の時点）に対応する１〜４年前の各時点に於ける外気温の合計（４年分の合計）たる累積外気温Ｃを「０」に初期設定する。
【００４２】
同様に、前記４年分の外気温勾配の合計たる累積外気温勾配Ｆを「０」に初期設定し、更に、データ検索年数Ｅを「１」に初期設定する。
ステップ(ST29)で、図３の外気温テーブルに書き込まれた基準時Ｘ（Ｌ，１）たる年月日及び時刻を読み込む。そして、読み込んだ年月日及び時刻が、新たに記憶し直した前記年月日Ｙ，Ｍ，Ｄ及び時刻Ｂ（現時点から６時間先の時刻）の１〜４年前に対応する年月日及び時刻であるか否かが判断される。その為、外気温テーブルの基準時Ｘ（Ｌ，１）に書き込まれた年と「記憶し直した年Ｙ−Ｅ」（１〜４年前の年）が一致し、更に、前記基準時Ｘ（Ｌ，１）に書き込まれた月，日，及び時刻が、記憶し直した前記Ｍ，Ｄ及び時刻Ｂに一致するか否かがステップ(ST29)で判断される。その結果、一致しない場合は、更にステップ(ST30)を実行し、基準時Ｘ（Ｌ，１）にデータが存在することが確認されると、ステップ(ST31)で「変数Ｌ＝Ｌ＋１」の演算を実行する。尚、ステップ(ST30)で基準時Ｘ（Ｌ，１）にデータが存在しないことが確認され、ステップ(ST40)でデータ検索年数Ｅが「１」であると判断されると、図５の予報ルーチンを抜け出す。
【００４３】
一方、前記ステップ(ST31)で「変数Ｌ＝Ｌ＋１」の演算が実行されると、これに続けてステップ(ST32)で、変数Ｌが「１４６１×４」（４年のデータ数）を越えていないか否かを判断し、越えていない場合は、再びステップ(ST29)に戻る。
【００４４】
このように、ステップ(ST29)〜(ST32)を繰り返すことにより、外気温テーブルの基準時Ｘ（Ｌ，１）に書き込まれた年と、「記憶し直した年Ｙ−Ｅ」（１〜４年前の年）が一致し、更に、月日及び時刻がＭ，Ｄ及びＢに一致するデータを検索し、一致する場合は、ステップ(ST33)で次の演算を実行する。即ち、記憶し直した年月日（Ｙ＋Ｍ＋Ｄ）及び現在時刻Ｂで特定される時点（６時間先の時点）に対応する１〜４年前の各時点に於ける外気温の合計（４年分の合計）たる累積外気温Ｃを求める演算する。又、データ検索年数Ｅを更新する演算を実行する。具体的には、「累積外気温Ｃ＝Ｃ＋Ｘ（Ｌ，２）」の演算と、「データ検索年数Ｅ＝Ｅ＋１」の演算を実行する。
【００４５】
その後、ステップ(ST34)で変数Ｌを「１」に設定し直して、再度外気温テーブルＸ（Ｊ，Ｋ）の先頭からデータを検索できる状態に戻し、続いて、ステップ(ST35)で、データ検索年数Ｅが５年未満であると判断されると、ステップ(22)に制御が戻される。
【００４６】
このようにしてステップ(ST29)〜(ST35)を繰り返すことにより、新たに記憶し直した年月日（Ｙ＋Ｍ＋Ｄ）及び現在時刻Ｂで特定される時点に対応する１〜４年前の時点の外気温の合計たる累積外気温Ｃ等を求める演算を行い、図３の外気温テーブルを全て検索し終えた場合（ステップ(ST32)）又は、検索途中でデータが存在しなくなったがデータ検索年数Ｅが１でない場合（ステップ(ST30)(ST40)）は、ステップ(ST36)で、「過去外気温平均ＣＡ＝累積外気温Ｃ／（Ｅ−１）」の演算を実行する。
【００４７】
次に、ステップ(ST37)で、過去外気温平均ＣＡが２℃以下（凍結危険温度）と判断された場合は、ステップ(ST38)でリモコン装置(6)に設けられたスピーカ（図示せず）で追焚兼湯張回路(13)や暖房・追焚加熱回路(31)等の通水回路が凍結する恐れがあることを音声予報すると同時に、表示画面(60)に表示する。
【００４８】
一方、ステップ(ST37)で、過去外気温平均ＣＡが２℃を越えると判断された場合は、更に、ステップ(ST39)を実行し、現時点での実際の外気温勾配Ｇ（図４のステップ(ST11)で求められている）が「−１．５℃」以下と判断されると、ステップ(ST38)で、追焚兼湯張回路(13)や暖房・追焚加熱回路(31)等の通水回路が凍結する恐れがあることを予報する。即ち、外気温変化の大小に基づいて前記予報の要否判断を修正するのである。
【００４９】
図６は、制御装置(5)のＲＯＭ(55)に格納された、温水加熱装置(1)の凍結防止運転用プログラムを説明するフローチャートである。
図６は、温水加熱装置(1)の凍結防止運転を説明するフローチャートである。
温水加熱装置(1)の凍結防止運転が実行されると、先ず、ステップ(ST50)で外気温センサ(S)が検知する外気温が５℃以下であると判断されると、ステップ(ST51)で凍結防止ヒータ(22)を１０分間発熱させて給湯加熱回路(21)を加熱すると共に、循環ポンプ(33)を３分間作動させて暖房・追焚加熱回路(31)内の水を循環させる。これにより、給湯加熱回路(21)及び暖房・追焚加熱回路(31)の凍結を防止する。この場合、既述したように、暖房・追焚加熱回路(31)等の通水回路が凍結する恐れがあるときは、リモコン装置(6)に設けられたスピーカ（図示せず）等で事前に予報されているから（図５のステップ(ST38)参照）、前記循環ポンプ(33)の運転音が発生しても、居住者に唐突な感じを与えることがない。
【００５０】
次に、ステップ(ST52)で風呂の湯張り予約時刻（リモコン装置(6)で設定されているものとする）が予報対象時間帯より前か否かを判断し、前でない場合は、ステップ(ST53)を実行し、追焚兼湯張回路(13)から分岐した水抜回路(131)の水抜弁(132)を開放する。これにより、追焚兼湯張回路(13)の凍結防止が行える。一方、ステップ(ST52)で、湯張り予約時刻が予報対象時間帯の後であると判断されると、ステップ(ST54)で、循環ポンプ(12)を作動させると共にマイクロコンピュータの内蔵タイマＴ２を０にセットし、その後、ステップ(ST55)で、水流スイッチ(39)が水流検知してＯＮ信号を出したことが確認できると、ステップ(ST56)で３０秒の時間待ちが実行され、その後、ステップ(ST57)で循環ポンプ(12)が停止される。これにより、浴槽(B)内の入浴水が循環ポンプ(12)で強制循環されて凍結が防止される。
【００５１】
一方、水流スイッチ(39)が１０秒間、水流検知しない場合は、追焚兼湯張回路(13)に入浴水が存在しないと判断して循環ポンプ(12)を停止させる（ステップ(ST55)(ST58)(ST57)）。
【００５２】
[その他]
１．上記実施の形態では、予報対象日の年月日に対応する過去の年月日に於ける、予報対象時間帯と同じ時間帯の外気温を外気温テーブルＸ（Ｊ，Ｋ）から検索した。これに対し、予報対象日の年月日の前後の日に対応する過去の年月日に於ける、予報対象時間帯と同じ時間帯の外気温を外気温テーブルＸ（Ｊ，Ｋ）から検索し、該検索した外気温に基づいて凍結の予報をしてもよい。
【００５３】
２．上記実施の形態では、図５のステップ(ST20)で現時点の年Ｙ、月Ｍ、日Ｄ、時刻ＢをカレンダＩＣ(56)から読み込んだが、これらをリモコン装置(6)に設けられたＵＰ／ＤＯＷＮスイッチ(62)等で手動設定できる構成にしてもよい。
又、ステップ(ST20)〜(ST27)で設定される新たな年月日及び時刻を手動設定できるようにしてもよい。即ち、予報対象日及び予報対象時間帯等を手動設定してもよい。この場合、年Ｙ、月Ｍ、日Ｄ、時刻Ｂを設定する上記ＵＰ／ＤＯＷＮスイッチ(62)等が、既述発明特定事項たる「日時設定手段」に対応する。
【００５４】
３．給湯加熱回路(21)の凍結防止の為にＯＮ・ＯＦＦ制御される凍結防止ヒータ(22)のＯＮ時間を、暖房・追焚バーナ(30)の消火時に比べて燃焼時を長く設定してもよい。
冬季には高温暖房端末(17)や低温暖房端末(19)による暖房が長時間継続することがあるから、給湯熱交換器(2)の運転停止中に暖房・追焚バーナ(30)が長時間燃焼する場合がある。この場合、給気ファン(8)の作動により暖房・追焚バーナ(30)に供給される冷たい外気が、その近傍の給湯熱交換器(2)の給湯加熱回路(21)を冷却し、該給湯加熱回路(21)が凍結し易くなる。そこで、凍結防止ヒータ(22)のＯＮ時間を、暖房・追焚バーナ(30)の消火時に比べて燃焼時を長く設定し、これにより、給湯加熱回路(21)の凍結を確実に防止する一方、これに比べて給湯加熱回路(21)が凍結し難い暖房・追焚バーナ(30)の消火時には凍結防止ヒータ(22)の消費電力を抑え、電力の有効利用を図ることができる。
【００５５】
４．上記実施の形態では、予報対象日の年月日に対応する過去の年月日に於ける、予報対象時間帯と同じ時間帯の外気温の数年間の平均温度を求め（図５のステップ(ST36)参照）た。そして、該平均温度が凍結危険温度たる２℃以下の場合に、凍結運転を予報する構成にした（図５のステップ(ST37)(ST38)参照）。これに対し、前記過去の数年の年月日のうち、予報対象時間帯と同じ時間帯の外気温が凍結危険温度（例えば２℃以下）である年が、少なくとも１つ存在する場合は、凍結運転されることを予報する構成にしてもよい。
【００５６】
５．上記実施の形態では、１日を６時間毎の時間帯に区分し、各時間帯毎の外気温をＥＥＰＲＯＭ(53)に記憶させた。但し、必ずしも６時間毎の時間帯に区分する必要はなく、更に短時間毎の時間帯や、刻々変化する各時点の外気温をＥＥＰＲＯＭ(53)に記憶させてもよい。そして、ＥＥＰＲＯＭ(53)に記憶させた外気温を用いて上記実施の形態と同様に凍結を予報する。
【図面の簡単な説明】
【００５７】
【図１】本発明の実施の形態を説明する温水加熱装置(1)の概略図
【図２】制御装置(5)とリモコン装置(6)等の配線概略図
【図３】外気温テーブルＸ（Ｊ，Ｋ）の説明図
【図４】凍結予報装置の動作を説明するフローチャート
【図５】凍結予報装置の動作を説明するフローチャート
【図６】温水加熱装置(1)の凍結防止運転を説明するフローチャート
【符号の説明】
【００５８】
(1)・・・温水加熱装置
(5)・・・制御装置
(6)・・・リモコン装置
(56)・・・カレンダＩＣ
(131)・・・水抜回路
(132)・・・水抜弁
(S)・・・外気温センサ
【図１】
2008039264.tif 000003
【図２】
2008039264.tif 000004
【図３】
2008039264.tif 000005
【図４】
2008039264.tif 000006
【図５】
2008039264.tif 000007
【図６】
2008039264.tif 000008